(57)【要約】【目的】  外部からの訪問者の入退時の入退カードの受け渡しの作業をなくし、スムーズに入退できると共に、セキュリティを確保できる入退管理システムを提供することを目的とする。【構成】  訪問者が入退する入退手段を有する入退管理システムにおいて、少なくとも訪問者の所有するＩＣカードのＩＣカードデータの登録データを記憶し、訪問者が入退手段を通過する際に読み取ったＩＣカードデータと記憶された登録データとを照合し、照合により読み取ったＩＣカードデータと記憶された登録データとが一致した場合のみ入退を許可し入退手段を開放することを特徴とする。【選択図】図１
2007079909.tif 000002
【特許請求の範囲】
【請求項１】
訪問者が入退する入退手段を有する入退管理システムにおいて、少なくとも訪問者の所有するＩＣカードのＩＣカードデータを登録し、登録データを作成する訪問者データ登録手段と、前記訪問者データ登録手段からの登録データを記憶する登録データ記憶手段と、前記訪問者が前記入退手段を通過する際に前記訪問者のＩＣカードデータを読み取るＩＣカードデータ読取手段と、前記ＩＣカードデータ読取手段が読み取ったＩＣカードデータと前記登録データ記憶手段に記憶された登録データとを照合する訪問者データ照合手段と、前記訪問者データ照合手段の照合により前記ＩＣカードデータ読取手段が読み取ったＩＣカードデータと前記登録データ記憶手段に記憶された登録データとが一致した場合のみ入退を許可し入退手段を開放する入退制御手段とを備えたことを特徴とする入退管理システム。
【請求項２】
前記ＩＣカードデータは、それぞれのＩＣカードが個別に持つＩＤコードであることを特徴とする請求項１に記載の入退管理システム。
【請求項３】
前記ＩＣカードは、非接触複合券であることを特徴とする請求項１又は２に記載の入退管理システム。
【発明の詳細な説明】
【技術分野】
【０００１】
本発明は、ビルや部屋等の入退管理システムに関し、特に企業等のセキュリティーチェックのために使用する入退管理システムに関する。
【背景技術】
【０００２】
従来、同一事業体のある事業所から他の事業所への出張者の入退場等に際して、待たせることなしにチェックを確実に行ってセキュリティを確保できるようにするために、Ａ事業所の従業員が、Ｂ事業所に出張する場合、Ａ事業所の従業員管理システムは出張先であるＢ事業所の従業員管理システムに、出張者の出張に関する情報（出張者情報）を送信し、Ｂ事業所の従業員管理システムでは、該出張者情報を一時登録領域に一時登録する。出張者がＢ事業所に来て、出張者の携帯するＩＤカードが入場ゲートで読み取られると、Ｂ事業所の従業員管理システムで当該出張者の情報の登録有無をチェックし、登録されている場合は入場ゲートを開いて、入場可能とする従業員管理ネットワークシステムがある（特許文献１）。
【特許文献１】特開２００２−７３９１９号公報
【発明の開示】
【発明が解決しようとする課題】
【０００３】
しかしながら、上記従来技術は、同一事業体の共通したＩＤカード等の識別情報を所持していない外部からの訪問者に対して適用できなかった。そのため、外部からの訪問者は守衛室や受付等にて氏名、面会者、時間等を記入させられ、面会カード等を受け取る必要があり、その際に約束の確認等で時間を要するので長蛇の列ができ、入館に時間がかかることがあった。また、退館時にも受付に入退館カードを返却する必要があり、面倒であった。
【０００４】
本発明は、上記課題を解決するものであって、外部からの訪問者の入退時の入退カードの受け渡しの作業をなくし、スムーズに入退できると共に、セキュリティを確保できる入退管理システムを提供することを目的とする。
【課題を解決するための手段】
【０００５】
そのために本発明は、訪問者が入退する入退手段を有する入退管理システムにおいて、少なくとも訪問者の所有するＩＣカードのＩＣカードデータを登録し、登録データを作成する訪問者データ登録手段と、前記訪問者データ登録手段からの登録データを記憶する登録データ記憶手段と、前記訪問者が前記入退手段を通過する際に前記訪問者のＩＣカードデータを読み取るＩＣカードデータ読取手段と、前記ＩＣカードデータ読取手段が読み取ったＩＣカードデータと前記登録データ記憶手段に記憶された登録データとを照合する訪問者データ照合手段と、前記訪問者データ照合手段の照合により前記ＩＣカードデータ読取手段が読み取ったＩＣカードデータと前記登録データ記憶手段に記憶された登録データとが一致した場合のみ入退を許可し入退手段を開放する入退制御手段とを備えたことを特徴とする。
【０００６】
また、前記ＩＣカードデータは、それぞれのＩＣカードが個別に持つＩＤコードであることを特徴とする。
【０００７】
また、前記ＩＣカードは、非接触複合券であることを特徴とする。
【発明の効果】
【０００８】
本発明によれば、訪問者が入退する入退手段を有する入退管理システムにおいて、少なくとも訪問者の所有するＩＣカードのＩＣカードデータを登録し、登録データを作成する訪問者データ登録手段と、前記訪問者データ登録手段からの登録データを記憶する登録データ記憶手段と、前記訪問者が前記入退手段を通過する際に前記訪問者のＩＣカードデータを読み取るＩＣカードデータ読取手段と、前記ＩＣカードデータ読取手段が読み取ったＩＣカードデータと前記登録データ記憶手段に記憶された登録データとを照合する訪問者データ照合手段と、前記訪問者データ照合手段の照合により前記ＩＣカードデータ読取手段が読み取ったＩＣカードデータと前記登録データ記憶手段に記憶された登録データとが一致した場合のみ入退を許可し入退手段を開放する入退制御手段とを備えたので、外部からの訪問者の入退時の入退カードの受け渡しの作業をなくし、スムーズに入退できると共に、セキュリティを確保できる。
【０００９】
また、前記ＩＣカードデータは、それぞれのＩＣカードが個別に持つＩＤコードであるので、データが重複することなく、セキュリティを確保できる。
【００１０】
また、前記ＩＣカードは、非接触複合券であるので、汎用性が高く、多数の人が利用できるようになる。
【発明を実施するための最良の形態】
【００１１】
以下、本発明の実施の形態を、図面を参照しつつ説明する。図１は本発明の入退システムを示す図、図２は本発明のブロック図である。図１及び図２で、１は端末機、２はサーバー、３は入退ゲート、４は社内ネットワーク、１１は訪問者データ登録手段、１２は登録データ記憶手段、１３はＩＣカードデータ読取手段、１４は訪問者データ照合手段、１５は入退制御手段、１６は入退手段である。
【００１２】
端末機１は社員等の担当者専用のパーソナルコンピュータであり、本実施形態では訪問者のＩＣカードデータ等を登録し、登録データを作成する訪問者データ登録手段１１を備えている。ここで、本実施形態でのＩＣカードとは鉄道等で使用されている非接触複合券等のカードであり、カードに個別のＩＤコード等がデータとして記憶されているものであればよい。また、ＩＣカードデータとはＩＣカードが個別に持っているＩＤコード等である。
【００１３】
サーバー２は、本実施形態では訪問者データ登録手段１１からの登録データを記憶する登録データ記憶手段１２と、ＩＣカードデータ読取手段１３が読み取ったＩＣカードデータと登録データ記憶手段１２に記憶された登録データとを照合する訪問者データ照合手段１４と、訪問者データ照合手段１４の照合によりＩＣカードデータ読取手段１３が読み取ったＩＣカードデータと登録データ記憶手段１２に記憶された登録データとが一致した場合のみ入退を許可するように制御する入退制御手段１５とを備えている。
【００１４】
入退ゲート３は、入退手段１６を備えた自動改札やセキュリティドア等の建物、部屋又は乗物等に入退する際のゲートである。また、訪問者が入退ゲート３を通過する際に訪問者のＩＣカードデータを読み取るＩＣカードデータ読取手段１３を備えている。なお、本実施形態では、ＩＣカードデータ読取手段１３が読み取ったＩＣカードデータと登録データ記憶手段１２に記憶された登録データとを照合する訪問者データ照合手段１４と、訪問者データ照合手段１４の照合によりＩＣカードデータ読取手段１３が読み取ったＩＣカードデータと登録データ記憶手段１２に記憶された登録データとが一致した場合のみ入退を許可するように制御する入退制御手段１５とをサーバー２に備えたが、入退ゲート３が備えてもよい。
【００１５】
社内ネットワーク４は、端末機１、サーバー２及び入退ゲート３等をそれぞれで結んでいる。社内ネットワーク４を通じて端末機１はサーバー２にアクセスすることが可能であるが、その際ログイン名及び社内パスワード等の入力を必要とする。これによってセキュリティが確保できる。
【００１６】
次に、入退管理システムの訪問者のＩＣカードデータ等の登録について説明する。図３は登録データを示す。まず、訪問者は社員等の担当者に訪問日前に予め連絡をする。社員等の担当者は訪問者データ登録手段１１を備えた端末機１により、管理番号、訪問者の氏名、会社名、ＩＣカードのＩＤコード、訪問日時、被訪問者名等を登録画面から登録し、訪問者の登録データを作成しておく。登録データ作成方法は、図１に示すように訪問者が社員等の担当者に電話をし、該担当者に登録画面から登録してもらう。また、訪問者がＩＤコード等を知られたくない場合も考えられるので、電話、携帯電話、インターネット等で訪問者が自分のＩＤコード等を入力し、企業の担当者が承認を与えることで登録してもよい。その際、社員等の担当者は訪問者のＩＤコードを知ることができないようにしてもよい。
【００１７】
端末機１の訪問者データ登録手段１１で作成された登録データは、サーバー２の登録データ記憶手段１２に記憶される。その際、登録又は承認した担当者のログイン名を登録データとあわせて記憶しておくと不正利用等を防止できる。登録データには、訪問者の所有するＩＣカードのＩＤコード、訪問日時等のデータが含まれる。
【００１８】
次に、図１乃至図４を用いて入退管理システムの管理制御について説明する。図４は入退管理システムの管理制御を示したフローチャートである。スタート時、入退手段１６は開放されていても閉鎖されていてもよい。まず、訪問者が事前に登録したＩＤコードをもつＩＣカードを入退ゲート３に備えたＩＣカードデータ読取手段１３にかざすと、ＩＣカードデータ読取手段１３は、訪問者が入退手段１６を通過する際に訪問者のＩＣカードデータを読み取る（Ｓ１）。
【００１９】
次に、ＩＣカードデータ読取手段１３がＩＣカードデータを正確に読み取ったかどうか判断し、読み取った場合には、該ＩＣカードデータをサーバー２の訪問者データ照合手段１４に送信し、読み取れなかった場合には、入退制御手段１５に入退手段１６を閉鎖するように送信する（Ｓ２）。
【００２０】
次に訪問者データ照合手段１４により、サーバー２に送信したＩＣカードデータと、登録データ記憶手段１２に記憶されている登録データとを照合する（Ｓ３）。ステップ３で照合した結果、前記ＩＣカードデータ読取手段１３が読み取ったＩＣカードデータと登録データ記憶手段１２に記憶された登録データとが一致しているかどうか判断し、一致した場合には、入退制御手段１５に入退手段１６を開放するように送信し、一致しなかった場合には、入退制御手段１５に入退手段１６を閉鎖するように送信する（Ｓ４）。
【００２１】
入退手段１６を開放するように信号を送信された入退制御手段１５は、入退手段１６が開放している場合にはその状態を維持し、入退手段１６が閉鎖されている場合には開放する（Ｓ５）。入退手段１６を閉鎖するように信号を送信された入退制御手段１５は、入退手段１６が開放している場合には閉鎖し、閉鎖している場合にはその状態を維持する（Ｓ６）。
【００２２】
このように実施することにより、外部からの訪問者の入退時の入退カードの受け渡しの作業をなくし、スムーズに入退できると共に、データが重複することなく、セキュリティを確保できる。また、ＩＣカードは、非接触複合券とすれば、汎用性が高く、多数の人が利用できるようになる。
【００２３】
なお、登録データに訪問日と共に訪問時間のデータを記憶させ、該訪問日の記憶させた訪問時間の前後数分あるいは数時間のみ入退を許可するように設定してもよい。
【図面の簡単な説明】
【００２４】
【図１】本発明の１実施形態の概念図
【図２】本発明の１実施形態のブロック図
【図３】本発明の１実施形態の登録データを示す図
【図４】本発明の１実施形態のフローチャートを示す図
【符号の説明】
【００２５】
１…端末機、２…サーバー、３…入退ゲート、４…社内ネットワーク、１１…訪問者データ登録手段、１２…登録データ記憶手段、１３…ＩＣカードデータ読取手段、１４…訪問者データ照合手段、１５…入退制御手段、１６…入退手段
【図１】
2007079909.tif 000003
【図２】
2007079909.tif 000004
【図３】
2007079909.tif 000005
【図４】
2007079909.tif 000006